(57)【特許請求の範囲】
【請求項１】
無線通信装置が発信要求を受けると、一のシステムに対応する基地局若しくはセクタまたは当該一のシステムとは異なるシステムに対応する基地局若しくはセクタから報知情報を取得し、
前記一のシステムに対応する基地局若しくはセクタまたは当該一のシステムとは異なるシステムに対応する基地局若しくはセクタから取得した報知情報と、待ち受け中の基地局またはセクタから取得した報知情報とに基づいて、当該待ち受け中の基地局よりも最適な基地局へ移行する場合に、当該最適な基地局またはセクタを選択し、
前記選択した最適な基地局またはセクタに対して発信することを特徴とする無線通信制御方法。
【請求項２】
発信要求を受けると、一のシステムに対応する基地局若しくはセクタまたは当該一のシステムとは異なるシステムに対応する基地局若しくはセクタから報知情報を取得するサーチ手段と、
該サーチ手段で取得した報知情報と、待ち受け中の基地局またはセクタから取得した報知情報とに基づいて、当該待ち受け中の基地局またはセクタよりも最適な基地局またはセクタへ移行する場合に、当該最適な基地局またはセクタを選択する選択手段と、
該選択手段で選択された最適な基地局またはセクタに対して発信する発信手段と、
を有することを特徴とする無線通信装置。
【発明の詳細な説明】
【技術分野】
【０００１】
本発明は、無線通信制御方法およびこれを実施する無線通信装置に関するものである。
【背景技術】
【０００２】
近年、携帯電話等の無線通信装置には、それぞれの規格に応じた複数の方式が存在している。
【０００３】
通常、無線通信装置は、何れか１つの規格に対応するように構成されているが、例えば最近の携帯電話端末は、高機能のサービスを提供することから、複数の通信システムが利用できるようにマルチバンド化されているものが多くなっている。その一例として、例えばｃｄｍａ２０００ １ｘシステム（以下、適宜、１ｘと略称する）と、ｃｄｍａ２０００ １ｘＥＶ−ＤＯシステム（以下、適宜、ＥＶＤＯと略称する）との２つの通信システムを利用できる携帯電話端末が知られている（例えば、特許文献１参照）。
【０００４】
このｃｄｍａ２０００に準拠した携帯電話端末は、端末から発信する場合には、当該端末が待ち受けしているシステムの基地局またはセクタを接続先として発信するように構成されている。
【０００５】
この種の従来の携帯電話端末においては、例えば、パケットを発信する場合には、図１３にフローチャートを示すように、先ず、自端末におけるシステムの待ち受け状況を判定する（ステップＳ３０１）。その結果、１ｘの基地局およびＥＶＤＯの基地局の双方を待ち受けしている場合には、待ち受けしているＥＶＤＯの基地局にパケットを発信し（ステップＳ３０２）、１ｘの基地局のみを待ち受けしている場合には、当該１ｘの基地局にパケットを発信し（ステップＳ３０３）、ＥＶＤＯの基地局のみを待ち受けしている場合には、当該ＥＶＤＯの基地局にパケットを発信している（ステップＳ３０４）。その後、発信が成功したか否かを判定し（ステップＳ３０５）、成功したら発信動作を終了している。
【０００６】
これに対し、ステップＳ３０１でいずれの基地局も待ち受けしていない圏外と判定された場合や、ステップＳ３０５で発信が不成功（失敗）と判定された場合、すなわち発信先の基地局から輻輳、規制状況、接続状況等によって接続が拒否された場合には、圏外スキャンを試行して（ステップＳ３０６）、スキャンが成功したか否か、すなわち通信可能な基地局が検出されたか否かを判定し（ステップＳ３０７）、成功したらステップＳ３０１に移行し、不成功（失敗）の場合には発信動作を終了している。
【０００７】
また、音声を発信する場合には、図１４にフローチャートを示すように、先ず、自端末における待ち受け状況を判定し（ステップＳ３２１）、１ｘの基地局およびＥＶＤＯの基地局の双方を待ち受けしている場合には、待ち受けしている１ｘの基地局に音声を発信し（ステップＳ３２２）、１ｘの基地局のみを待ち受けしている場合には、当該１ｘの基地局に音声を発信している（ステップＳ３２３）。その後、発信が成功したか否かを判定し（ステップＳ３２４）、成功したら発信動作を終了している。
【０００８】
これに対し、ステップＳ３２１でＥＶＤＯの基地局のみを待ち受けしている場合や、圏外と判定された場合、あるいは、ステップＳ３２４で発信が不成功（失敗）と判定された場合、すなわち発信先の基地局から輻輳、規制状況、接続状況等によって接続が拒否された場合には、パケット発信の場合と同様に、圏外スキャンを試行して（ステップＳ３２５）、スキャンが成功したか否かを判定し（ステップＳ３２６）、成功したらステップＳ３２１に移行し、不成功（失敗）の場合には発信動作を終了している。
【０００９】
なお、図１３および図１４では、発信が不成功（失敗）の場合には、圏外スキャンにより発信可能な基地局を探し、見つかった場合に、基地局を変更して再度、発信動作を行うようにしているが、他の方法として、同一システム、同一チャネルで電波強度の高い基地局へ変更して発信する方法や、端末に登録されているＰＲＬ（Priority Roaming List:ローミングエリア情報）から同一システム、異チャネルや、異システムをスキャンして、待ち受け可能な基地局を変更して発信する方法もある。なお、前者の方法の場合には、発信失敗した基地局と同様になる可能性が高い。
【００１０】
一方、端末側の主導で基地局を変更する方法としては、以下の方法が知られている。
（１）待ち受けしているシステムにてハッシュ（Hash）計算を行い、その計算結果に基づいて基地局から送信されたNeighbor List（周辺基地局リスト）に登録されている別の基地局へ変更する方法（この場合、同一システム、同一チャネルの限定がないので、Neighbor Listに登録されている基地局へ変更が可能となる）。
（２）同一システムにて、電波強度の高い基地局へ変更する方法（Idle Handoff）。
（３）発信後、トラフィックが確立されてから電波強度の高い基地局へ変更する方法（Active Handoff）。
（４）一定時間毎に、ＰＲＬに登録されているシステムから、現在待ち受けしているシステムよりも優先順位の高いシステムをスキャンして、成功した場合に基地局を変更する方法（Reselection）。
【００１１】
また、基地局側の主導で基地局を変更する方法としては、以下の方法が知られている。
（１）基地局から指定された基地局へ変更する方法（Redirection）。
（２）発信後、トラフィックが確立されてから、基地局主導で別の基地局へ変更する（Active Handoff）。
【先行技術文献】
【特許文献】
【００１２】
【特許文献１】特開２００６−１８６６８６号公報
【発明の概要】
【発明が解決しようとする課題】
【００１３】
しかしながら、上述した従来の携帯電話端末にあっては、発信時には、待ち受けしている基地局の規制状況や接続状況を何ら考慮することなく、すなわち発信が拒否されるか否かの予測や判定を行うことなく、当該基地局へ発信を行うようにしている。同様に、発信に失敗した後、別の基地局を探し当てて発信する場合にも、その基地局の規制状況や接続状況を何ら考慮することなく発信を行うようにしている。なお、１００％規制がかけられた基地局で待ち受けを行っている場合には、発信時に規制状況を把握して接続を実施しないようにし、その後、当該待ち受けしていたシステムをスキャン対象から除外して、他のシステムの基地局をスキャンして、待ち受け基地局を変更するようにしている。
【００１４】
このため、発信が成功するまでに時間がかかる場合があったり、待ち受けしているシステムが１００％規制時の場合には、同一システムでの発信が不可能になったりする等、ユーザに不便をかけることが懸念されるとともに、接続率が低下することが懸念される。
【００１５】
なお、このような問題は、基地局が複数のセクタを有する場合には、セクタについても同様に生じるものである。したがって、本明細書においては、単に「基地局」と記載した場合は、「セクタ」も含むものとする。
【００１６】
本発明は、上述した事情に鑑みてなされたもので、その目的とするところは、最適な基地局またはセクタに発信でき、接続率を向上できるとともに、ユーザの利便性を向上できる無線通信制御方法および無線通信装置を提供することにある。
【課題を解決するための手段】
【００１７】
上記目的を達成する本発明に係る無線通信制御方法は、
無線通信装置が発信要求を受けると、一のシステムに対応する基地局若しくはセクタまたは当該一のシステムとは異なるシステムに対応する基地局若しくはセクタから報知情報を取得し、
前記一のシステムに対応する基地局若しくはセクタまたは当該一のシステムとは異なるシステムに対応する基地局若しくはセクタから取得した報知情報と、待ち受け中の基地局またはセクタから取得した報知情報とに基づいて、当該待ち受け中の基地局よりも最適な基地局へ移行する場合に、当該最適な基地局またはセクタを選択し、
前記選択した最適な基地局またはセクタに対して発信することを特徴とするものである。
【００１８】
さらに、上記目的を達成する本発明に係る無線通信装置は、
発信要求を受けると、一のシステムに対応する基地局若しくはセクタまたは当該一のシステムとは異なるシステムに対応する基地局若しくはセクタから報知情報を取得するサーチ手段と、
該サーチ手段で取得した報知情報と、待ち受け中の基地局またはセクタから取得した報知情報とに基づいて、当該待ち受け中の基地局またはセクタよりも最適な基地局またはセクタへ移行する場合に、当該最適な基地局またはセクタを選択する選択手段と、
該選択手段で選択された最適な基地局またはセクタに対して発信する発信手段と、
を有することを特徴とするものである。
【発明の効果】
【００１９】
本発明によれば、発信を行う場合、周辺基地局またはセクタをサーチして報知情報を取
得し、その取得した周辺基地局またはセクタからの報知情報と、待ち受け中の基地局また
はセクタから取得した報知情報とに基づいて、当該発信先の最適な基地局またはセクタを
選択して発信するようにしたので、最適な基地局またはセクタに発信することができ、接
続率を向上できるとともに、ユーザの利便性を向上することができる。
【図面の簡単な説明】
【００２０】
【図１】本発明の一実施の形態に係る無線通信装置の構成を示す機能ブロック図である。
【図２】図１に示す無線通信装置によるパケット発信の概略動作を示すフローチャートである。
【図３】図１に示す無線通信装置によるパケット発信の具体的動作を示すフローチャートである。
【図４】図３の規制接続状況判定の処理を示すフローチャートである。
【図５】図４の１ｘ現況取得の処理を示すフローチャートである。
【図６】図４の１ｘ Neighborスキャンの処理を示すフローチャートである。
【図７】図４の１ｘＰＲＬスキャンの処理を示すフローチャートである。
【図８】図４の１ｘ発信基地局判定の処理を示すフローチャートである。
【図９】図４のＥＶＤＯ現況取得の処理を示すフローチャートである。
【図１０】図４のＥＶＤＯ Neighborスキャンの処理を示すフローチャートである。
【図１１】図４のＥＶＤＯ ＰＲＬスキャンの処理を示すフローチャートである。
【図１２】図４のＥＶＤＯ発信基地局判定の処理を示すフローチャートである。
【図１３】従来のパケット発信動作を示すフローチャートである。
【図１４】従来の音声発信動作を示すフローチャートである。
【発明を実施するための形態】
【００２１】
以下、本発明の実施の形態について、図を参照して説明する。
【００２２】
図１は、本発明の一実施の形態に係る無線通信装置の構成を示す機能ブロック図である。この無線通信装置は、例えばｃｄｍａ２０００に準拠した通信を行う携帯電話端末で、全体の動作を制御する制御部１を有しており、この制御部１には、表示部２およびキー操作部３が接続されているとともに、ＥＶＤＯプロトコル制御部４および１ｘプロトコル制御部５が接続されている。
【００２３】
ＥＶＤＯプロトコル制御部４には、ＥＶＤＯ送信制御部６およびＥＶＤＯ受信制御部７が接続され、１ｘプロトコル制御部５には、１ｘ送信制御部８および１ｘ受信制御部９が接続されている。
【００２４】
ＥＶＤＯ送信制御部６および１ｘ送信部８は、送信機１０を介してプライマリアンテナ１１に接続され、ＥＶＤＯ受信制御部７および１ｘ受信制御部９は、受信アンテナ制御部１２に接続され、この受信アンテナ制御部１２からプライマリ受信機１３を介してプライマリアンテナ１１に接続されるとともに、セカンダリ受信機１４を介してセカンダリアンテナ１５に接続されている。
【００２５】
この携帯電話端末は、ＥＶＤＯシステムによるパケット通信においては、ＥＶＤＯプロトコル制御部４によりＥＶＤＯ送信制御部６を介して送信機１０を駆動するとともに、ＥＶＤＯ受信制御部７および受信アンテナ制御部１２を介してプライマリ受信機１３およびセカンダリ受信機１４を駆動して、送信においては、送信機１０からプライマリアンテナ１１を介してパケットを送信し、受信においては、ダイバシティ方式を採用して、プライマリアンテナ１１を介してプライマリ受信機１３でパケットを受信するとともに、セカンダリアンテナ１５を介してセカンダリ受信機１４でパケットを受信するように制御している。
【００２６】
また、このＥＶＤＯシステムによるパケット通信においては、１ｘプロトコル制御部５により１ｘ受信制御部９を駆動して、プライマリ受信機１３あるいはセカンダリ受信機１４により定期的に１ｘシステムにおける基地局からの着信を通知する報知情報（ページング）を受信して音声着信を監視するように制御している。
【００２７】
一方、１ｘによる音声通信においては、１ｘプロトコル制御部５により１ｘ送信制御部８を介して送信機１０を駆動するとともに、１ｘ受信制御部９および受信アンテナ制御部１２を介してプライマリ受信機１３を駆動して、送信においては、送信機１０からプライマリアンテナ１１を介して音声情報を送信し、受信においては、プライマリアンテナ１１を介してプライマリ受信機１３で音声情報を受信するように制御している。
【００２８】
本実施の形態では、制御部１に管理メモリ１６および選択部１７を設け、周辺基地局をサーチして報知情報を取得し、その取得した周辺基地局からの報知情報と、待ち受け中の基地局から取得した報知情報とに基づいて、管理メモリ１６において規制状況および接続状況を管理し、その管理結果から、選択部１７において、発信時に当該発信先の最適な基地局を選択して発信を行う。したがって、本実施の形態では、制御部１、ＥＶＤＯ受信制御部７、１ｘ受信制御部９、プライマリアンテナ１１、プライマリ受信機１３などのいくつかの組み合わせによりサーチ手段を構成しており、管理メモリ１６および選択部１７を含む制御部１により選択手段を構成しており、制御部１、ＥＶＤＯ送信制御部６、１ｘ送信制御部８、プライマリアンテナ１１、送信機１０などのいくつかの組み合わせにより発信手段を構成している。
【００２９】
なお、１ｘシステムの基地局が送信する報知情報から得られる各種情報については、１ｘスタンダードの３ＧＰＰ２Ｃ．Ｓ．０００２および３ＧＰＰ２Ｃ．Ｓ．０００５に詳細に記載されており、また、ＥＶＤＯシステムの基地局が送信する報知情報から得られる各種情報については、ＥＶＤＯスタンダードの３ＧＰＰ２Ｃ．Ｓ．００２４に詳細に記載されているので、ここでは詳細な説明は省略する。
【００３０】
図２は、本実施の形態の無線通信装置によるパケット発信の概略動作を示すフローチャートである。パケット発信動作では、パケット発信要求を受けたら（ステップＳ２１）、先ず、Neighborスキャンにより周辺基地局からの報知情報を取得し（ステップＳ２２）、さらに、ＰＲＬスキャンによりＰＲＬに登録されているシステムの基地局からの報知情報を取得する（ステップＳ２３）。その後、NeighborスキャンおよびＰＲＬスキャンにより取得した報知情報と、現在待ち受けている基地局から取得した報知情報とに基づいて、規制状況や接続状況の一番良い基地局を選択し（ステップＳ２４）、その選択した基地局に対してパケット発信を実行する（ステップＳ２５）。
【００３１】
図３は、本実施の形態によるパケット発信の具体的動作を示すフローチャートである。本実施の形態では、先ず、自端末におけるシステムの待ち受け状況を判定する（ステップＳ４１）。ここで、いずれかのシステムの基地局を待ち受けしている圏内にある場合には、次に、当該発信がリトライ動作による発信か否か、すなわち一度発信が不成功（失敗）した後の圏外スキャンによる２度目以降の発信か否かを判定する（ステップＳ４２）。
【００３２】
ステップＳ４２において、リトライ動作でない最初の発信と判定された場合には、規制接続状況判定の処理を実行して（ステップＳ４３）、現在待ち受けしているシステム以外で待ち受け可能な基地局を探し、その探し当てた待ち受け可能な基地局および現在待ち受けしている基地局の中から、規制状況や接続状況の一番良い基地局を選択する。この規制接続状況判定の処理については、後述する。
【００３３】
その結果、一番良い基地局としてＥＶＤＯの基地局が選択された場合には、当該ＥＶＤＯの基地局にパケットを発信し（ステップＳ４４）、一番良い基地局として１ｘの基地局が選択された合には、当該１ｘの基地局にパケットを発信する（ステップＳ４５）。その後、発信が成功したか否かを判定し（ステップＳ４６）、成功したら発信動作を終了している。
【００３４】
一方、ステップＳ４１でいずれのシステムの基地局も待ち受けしていない圏外にあると判定された場合や、ステップＳ４３で発信可能な基地局が見つからなかった場合、あるいはステップＳ４６で発信が不成功（失敗）と判定された場合には、圏外スキャンを試行して（ステップＳ４７）、スキャンが成功したか否か、すなわち通信可能な基地局が検出されたか否かを判定し（ステップＳ４８）、成功したらステップＳ４１に移行し、不成功（失敗）の場合には発信動作を終了する。
【００３５】
また、ステップＳ４２において、当該発信動作がリトライ動作である場合には、規制接続状況判定の処理を再度実行することなく、ステップＳ４７の圏外スキャンで見つかったシステムの待ち受け状況を判定する（ステップＳ４９）。その結果、１ｘの基地局およびＥＶＤＯの基地局の双方を待ち受けしている場合や、ＥＶＤＯの基地局のみを待ち受けしている場合には、ステップＳ４４でＥＶＤＯの基地局にパケットを発信し、１ｘの基地局のみを待ち受けしている場合には、ステップＳ４５で１ｘの基地局にパケットを発信する。
【００３６】
すなわち、本実施の形態では、パケット発信要求に対し、最初の発信に先立って、ステップＳ４３で規制接続状況を判定して、規制状況や接続状況の一番良い基地局を選択し、その選択された基地局に対して発信を行い、この最初の発信に失敗した２度目以降の発信については、規制接続状況の判定を行うことなく、図１３と同様にして発信動作を実行する。
【００３７】
次に、上述した規制接続状況判定の処理について、図４に示すフローチャートを参照して説明する。
【００３８】
先ず、緊急呼（１ｘ）、音声、パケット、１ｘパケットの発信種別を判定する（ステップＳ６１）。ここで、発信種別が、緊急呼と判定された場合には、当該規制接続状況判定の処理を実行することなく、待ち受けしている１ｘの基地局に発信する。
【００３９】
また、発信種別が、音声や１ｘパケットと判定された場合には、現在の待ち受け種別を判定する（ステップＳ６２）。その結果、１ｘおよびＥＶＤＯの双方のシステムを待ち受けている場合や、１ｘシステムのみを待ち受けている場合には、１ｘシステムの現況取得（ステップＳ６３）、１ｘシステムのNeighborスキャン（ステップＳ６４）および１ｘシステムのＰＲＬスキャン（ステップＳ６５）の処理を実行して、それぞれの処理で得られた各基地局の情報を１ｘ規制接続状況リスト６６として図１に示した管理メモリ１６に記憶する。
【００４０】
その後、記憶された１ｘ規制接続状況リスト６６に基づいて、図１に示した選択部１７において、１ｘシステムの中で規制状況や接続状況の一番良い基地局を発信基地局として判定（選択）する（ステップＳ６７）。この判定結果は、ステップＳ６８で判断して、発信基地局が見つかった場合には、図３のステップＳ４５に移行して１ｘパケットの発信の処理を実行し、発信基地局が見つからなかった場合には、発信可能システムなしとして、図３のステップＳ４７に移行して圏外スキャンを実行する。なお、ステップＳ６２において、１ｘシステムを待ち受けていないと判定された場合には、処理を終了して、図３のステップＳ４７に移行して圏外スキャンを実行する。
【００４１】
上述した、１ｘ現況取得（ステップＳ６３）、１ｘNeighborスキャン（ステップＳ６４）および１ｘＰＲＬスキャン（ステップＳ６５）の各処理の詳細については、後述する。
【００４２】
一方、ステップＳ６１で発信種別がパケットと判定された場合には、同様に、現在の待ち受け種別を判定する（ステップＳ６９）。その結果、１ｘおよびＥＶＤＯの双方のシステムを待ち受けている場合や、ＥＶＤＯシステムのみを待ち受けている場合には、ＥＶＤＯシステムの現況取得（ステップＳ７０）、ＥＶＤＯシステムのNeighborスキャン（ステップＳ７１）およびＥＶＤＯシステムのＰＲＬスキャン（ステップＳ７２）の処理を実行して、それぞれの処理で得られた各基地局の情報をＥＶＤＯ規制接続状況リスト７３として図１に示した管理メモリ１６に記憶する。
【００４３】
その後、記憶されたＥＶＤＯ規制接続状況リスト７３に基づいて、図１に示した選択部１７において、ＥＶＤＯシステムの中で規制状況や接続状況の一番良い基地局を発信基地局として判定（選択）する（ステップＳ７４）。この判定結果は、ステップＳ７５で判断して、発信基地局が見つかった場合には、図３のステップＳ４４に移行してＥＶＤＯパケットの発信の処理を実行し、発信基地局が見つからなかった場合には、更に、１ｘシステムの待ち受けがあるか否かを判定し（ステップＳ７６）、１ｘシステムの待ち受けがなければ、発信可能システムなしとして、図３のステップＳ４７に移行して圏外スキャンを実行する。
【００４４】
なお、ステップＳ６９において、１ｘシステムを待ち受けていると判定された場合や、ステップＳ７６において、１ｘシステムの待ち受けがあると判定された場合には、ステップＳ６３に移行する。したがって、この場合には、パケットは、１ｘシステムから発信可能となる。
【００４５】
上述した、ＥＶＤＯ現況取得（ステップＳ７０）、ＥＶＤＯ Neighborスキャン（ステップＳ７１）およびＥＶＤＯ ＰＲＬスキャン（ステップＳ７２）の各処理の詳細については、後述する。
【００４６】
次に、図４に示した各処理について、図５〜図１２に示すフローチャートを参照して説明する。
【００４７】
（１ｘ現況取得）
図５は、１ｘ現況取得の処理を示すフローチャートである。１ｘ現況取得処理では、現在の１ｘシステムの待ち受け基地局からの報知情報に基づいて、電波強度（ステップＳ８１）、接続規制値（ステップＳ８２）および発信種別規制（ステップＳ８３）をそれぞれ取得して、当該基地局の１ｘ規制接続状況リスト６６を生成する。
【００４８】
ここで、電波強度は、報知情報の受信電界強度から取得し、接続規制値および発信種別規制は基地局からの報知情報の「access parameters message」（アクセスパラメータメッセージ）に含まれる規制情報に基づいて取得する。
【００４９】
（１ｘ Neighborスキャン）
図６は、１ｘ Neighborスキャンの処理を示すフローチャートである。１ｘ Neighborスキャンでは、基地局からの報知情報の「sector parameters message」（セクタパラメータメッセージ）に含まれているNeighbor List（周辺基地局リスト）に登録されている各基地局に対して１ｘスキャンを実行し（ステップＳ１０１）、その結果をステップＳ１０２で判定して、スキャンが成功すれば、すなわち１ｘシステムの基地局が見つかれば、当該基地局からの報知情報に基づいて、図５と同様の１ｘ現況取得を実行して（ステップＳ１０３）、当該基地局における１ｘ規制接続状況リスト６６を生成する。これらの処理を、Neighbor Listに登録されている基地局のうち、現在待ち受けしている１ｘの基地局を除く全ての基地局に対して実行する。
【００５０】
（１ｘ ＰＲＬスキャン）
図７は、１ｘＰＲＬスキャンの処理を示すフローチャートである。１ｘＰＲＬスキャンでは、自端末に登録されているＰＲＬの各Acquisition Record（バンドクラス、チャネル）に対して１ｘスキャンを実行し（ステップＳ１２１）、その結果をステップＳ１２２で判定して、スキャンが成功すれば、すなわち１ｘシステムの基地局が見つかれば、当該基地局からの報知情報に基づいて、図５と同様の１ｘ現況取得を実行して（ステップＳ１２３）、当該基地局における１ｘ規制接続状況リスト６６を作成する。これらの処理を、Acquisition Recordの全てに対して実行する。
【００５１】
（１ｘ発信基地局判定）
図８は、１ｘ発信基地局判定の処理を示すフローチャートである。１ｘ発信基地局判定処理では、先ず、現在の１ｘシステムの待ち受け基地局について、図５の１ｘ現況取得により取得した内部データ（１ｘ規制接続状況リスト）を、最適発信基地局データ１４０として、初期化する（ステップＳ１４１）。
【００５２】
次に、１ｘ Neighborスキャンおよび１ｘ ＰＲＬスキャンにおいて取得された各１ｘ規制接続状況リスト６６について、発信種別規制情報から発信規制の有無を判定し（ステップＳ１４２）、発信規制がなければ、さらに発信種別規制情報から送信１００％規制があるか否かを判定し（ステップＳ１４３）、送信１００％規制がなければ、当該各１ｘ規制接続状況リスト６６の各情報に対して、アプリケーション毎に予め設定したデータ１４４を重み付けする（ステップＳ１４５）。ここで、アプリケーションには、例えば、音声、ブラウザ、メール送信、メール受信、ＩＰ電話、ＴＶ電話等がある。
【００５３】
その後、重み付けを実施した１ｘ規制接続状況リスト６６のデータと、内部データである最適発信基地局データ１４０とを比較して、送信規制は内部データより良いか否かを判定し（ステップＳ１４６）、良い場合には、さらに電波強度は内部データより良いか否かを判定する（ステップＳ１４７）。
【００５４】
その結果、内部データよりも電波強度が良い場合には、最適発信基地局データ１４０に対して、当該１ｘ規制接続状況リスト６６における発信規制値の書込み（ステップＳ１４８）、接続規制値の書込み（ステップＳ１４９）、電波強度・バンドクラス・チャネル・ＰＮの書込み（ステップＳ１５０）を行って、最適発信基地局データ１４０すなわち内部データを更新する。
【００５５】
なお、ステップＳ１４２で発信規制があったり、ステップＳ１４３で送信１００％規制があったり、ステップＳ１４６で送信規制が内部データよりも悪かったり、ステップＳ１４７で電波強度が内部データよりも悪かったりした場合には、その時点で当該１ｘ規制接続状況リスト６６に対する処理を終了する。
【００５６】
以上の処理を、１ｘ Neighborスキャンおよび１ｘ ＰＲＬスキャンにおいて取得された全ての１ｘ規制接続状況リスト６６について実行したら、最適発信基地局データ１４０を参酌して、最適発信基地局があるか否かを判定して（ステップＳ１５１）、１ｘ発信基地局判定の処理を終了する。
【００５７】
したがって、最適発信基地局データ１４０は、現在待ち受けしている１ｘ基地局よりも最適な１ｘ基地局があれば、その１ｘ基地局の規制状況および当該１ｘ基地局に発信する場合のバンドクラス・チャネル・ＰＮを有することになり、現在待ち受けしている１ｘ基地局よりも最適な１ｘ基地局がなければ、現在待ち受けしている１ｘ基地局のデータが最適発信基地局データとなる。これにより、発信に最適な１ｘ基地局が選択されることになる。
【００５８】
（ＥＶＤＯ現況取得）
図９は、ＥＶＤＯ現況取得の処理を示すフローチャートである。ＥＶＤＯ現況取得処理では、先ず、現在のＥＶＤＯシステムの待ち受け基地局からの報知情報に含まれる「Reverse Rate Limit」で規定される上り上限送信レート（送信速度上限値）を、送信速度上限値トータルデータ１６０を算出する初期値として、内部データを初期化する（ステップＳ１６１）。
【００５９】
次に、現在のＥＶＤＯシステムの待ち受け基地局の報知情報に基づいて、電波強度（ステップＳ１６２）および接続規制値（ステップＳ１６３）をそれぞれ取得して、それらの情報をＥＶＤＯ規制接続状況リスト７３に記憶する。
【００６０】
その後、報知情報から取得した当該待ち受け基地局に接続可能な本数（チャネル数）の各々に対して、報知情報から送信速度上限値を取得して送信速度上限値トータルデータ１６０に加算するとともに（ステップＳ１６５）、報知情報に含まれる「Quick Config」から受信通信帯域有効値（FT Valid）を取得して、受信通信帯域有効値トータルデータ１６６に加算する（ステップＳ１６７）。
【００６１】
接続可能な全ての本数に対して、上記の送信速度上限値の加算処理および受信通信帯域有効値の加算処理を終了したら、送信速度上限値トータルデータ１６０を接続可能本数（RPC Count）で割り算して送信速度上限値の平均値である上りの平均送信速度を算出し（ステップＳ１６８）、その算出した上りの平均送信速度をＥＶＤＯ規制接続状況リスト７３に記憶するとともに、受信通信帯域有効値トータルデータ１６６を接続可能本数で割り算して受信通信帯域の平均値、すなわち当該基地局の下り回線の接続状況を算出し（ステップＳ１６９）、その算出した下り回線の接続状況をＥＶＤＯ規制接続状況リスト７３に記憶して、当該基地局におけるＥＶＤＯ規制接続状況リスト７３を作成する。
【００６２】
（ＥＶＤＯ Neighborスキャン）
図１０は、ＥＶＤＯ Neighborスキャンの処理を示すフローチャートである。ＥＶＤＯNeighborスキャンでは、基地局からの報知情報に含まれているNeighbor Listに登録されている各基地局に対してＥＶＤＯスキャンを実行し（ステップＳ１８１）、その結果をステップＳ１８２で判定して、スキャンが成功すれば、当該基地局からの報知情報に基づいて、図９と同様のＥＶＤＯ現況取得を実行して（ステップＳ１８３）、当該基地局におけるＥＶＤＯ規制接続状況リスト７３を作成する。これらの処理を、Neighbor Listに登録されている基地局のうち、現在待ち受けしているＥＶＤＯの基地局を除く全ての基地局に対して実行する。
【００６３】
（ＥＶＤＯ ＰＲＬスキャン）
図１１は、ＥＶＤＯ ＰＲＬスキャンの処理を示すフローチャートである。ＥＶＤＯ ＰＲＬスキャンでは、自端末に登録されているＰＲＬの各Acquisition Recordに対してＥＶＤＯスキャンを実行し（ステップＳ２０１）、その結果をステップＳ２０２で判定して、スキャンが成功すれば、当該基地局からの報知情報に基づいて、図９と同様のＥＶＤＯ現況取得を実行して（ステップＳ２０３）、当該基地局におけるＥＶＤＯ規制接続状況リスト７３を作成する。これらの処理を、Acquisition Recordの全てに対して実行する。
【００６４】
（ＥＶＤＯ発信基地局判定）
図１２は、ＥＶＤＯ発信基地局判定の処理を示すフローチャートである。ＥＶＤＯ発信基地局判定処理では、先ず、現在のＥＶＤＯシステムの待ち受け基地局について、図９のＥＶＤＯ現況取得により取得した内部データを、最適発信基地局データ２２０として、初期化する（ステップＳ２２１）。
【００６５】
次に、ＥＶＤＯ NeighborスキャンおよびＥＶＤＯ ＰＲＬスキャンにおいて取得された各ＥＶＤＯ規制接続状況リスト７３について、発信種別規制情報から送信１００％規制があるか否かを判定し（ステップＳ２２２）、送信１００％規制がなければ、当該各ＥＶＤＯ規制接続状況リスト７３の各情報に対して、図８に示した１ｘ発信基地局判定の場合と同様に、アプリケーション毎に予め設定したデータ２２３を重み付けする（ステップＳ２２４）。
【００６６】
その後、重み付けを実施したＥＶＤＯ規制接続状況リスト７３のデータと、内部データである最適発信基地局データ２２０とを比較して、送信規制は内部データより良いか否かを判定し（ステップＳ２２５）、良い場合には、次に、受信速度帯域有効値（下り回線使用数）は内部データより良いか否かを判定し（ステップＳ２２６）、良い場合には、さらに、送信速度上限値（上り平均送信速度）は内部データより良いか否かを判定する（ステップＳ２２７）。
【００６７】
その結果、内部データよりも送信速度上限値が良い場合には、最適発信基地局データ２２０に対して、当該ＥＶＤＯ規制接続状況リスト７３における接続規制値の書込み（ステップＳ２２８）、受信通信帯域有効値の書込み（ステップＳ２２９）、送信速度上限値の書込み（ステップＳ２３０）、電波強度・バンドクラス・チャネル・ＰＮの書込み（ステップＳ２３１）を行って、最適発信基地局データ２２０すなわち内部データを更新する。
【００６８】
なお、ステップＳ２２２で送信１００％規制があったり、ステップＳ２２５で送信規制が内部データよりも悪かったり、ステップＳ２２６で受信速度帯域有効値が内部データよりも悪かったり、ステップＳ２２７で送信速度上限値が内部データよりも悪かったりした場合は、その時点で当該ＥＶＤＯ規制接続状況リスト７３に対する処理を終了する。
【００６９】
以上の処理を、ＥＶＤＯ NeighborスキャンおよびＥＶＤＯ ＰＲＬスキャンにおいて取得された全てのＥＶＤＯ規制接続状況リスト７３について実行したら、最適発信基地局データ２２０を参酌して、最適発信基地局があるか否かを判定して（ステップＳ２３２）、ＥＶＤＯ発信基地局判定の処理を終了する。
【００７０】
したがって、最適発信基地局データ２２０は、現在待ち受けしているＥＶＤＯ基地局よりも最適なＥＶＤＯ基地局があれば、そのＥＶＤＯ基地局の規制状況および当該ＥＶＤＯ基地局に発信する場合のバンドクラス・チャネル・ＰＮを有することになり、現在待ち受けしているＥＶＤＯ基地局よりも最適なＥＶＤＯ基地局がなければ、現在待ち受けしているＥＶＤＯ基地局のデータが最適発信基地局データとなる。これにより、発信に最適なＥＶＤＯ基地局が選択されることになる。
【００７１】
以上、パケットを発信する場合を例にとって説明したが、音声発信の場合も同様であり、この場合には、図４において、１ｘ現況取得（ステップＳ６３）、１ｘ Neighborスキャン（ステップＳ６４）および１ｘ ＰＲＬスキャン（ステップＳ６５）において、現在の待ち受け基地局を含む、待ち受け受け可能な全ての基地局の１ｘ規制接続状況リスト６６が生成され、それらの１ｘ規制接続状況リスト６６に基づいて、ステップＳ６７で音声発信に最適な１ｘ発信基地局が選択されることになる。
【００７２】
本実施の形態によれば、発信時にNeighborスキャンおよびＰＲＬスキャンを行うことにより、周辺基地局をサーチして待ち受け可能な基地局の報知情報を取得し、その取得した待ち受け可能な周辺基地局からの報知情報と、現在待ち受け中の基地局から取得した報知情報とに基づいて、規制状況および接続状況を管理し、その管理結果から、選択部１７において、当該発信先の最適な基地局を選択して発信するようにしたので、接続率を向上できるとともに、ユーザの利便性を向上することができる。
【００７３】
なお、本発明は、上記実施の形態にのみ限定されるものではなく、幾多の変形または変更が可能である。例えば、上記実施の形態では、NeighborスキャンとＰＲＬスキャンの双方を行うようにしたが、何れか一方のみを実行して、その結果得られた待ち受け可能な周辺基地局からの報知情報と、現在待ち受け中の基地局から取得した報知情報とに基づいて、当該発信先の最適な基地局を選択して発信するように構成することもできる。また、上記実施の形態では、ｃｄｍａ２０００ の１ｘおよびＥＶＤＯの２つのシステムを有するものとしたが、いずれか一方のシステムのみを有する場合でも本発明を有効に適用することができる。さらに、本発明は、ｃｄｍａ２０００に準拠した通信に限らず、他の方式の無線通信にも適用することができる。
【符号の説明】
【００７４】
１  制御部
２  表示部
３  キー操作部
４  ＥＶＤＯプロトコル制御部
５  １ｘプロトコル制御部
６  ＥＶＤＯ送信制御部
７  ＥＶＤＯ受信制御部
８  １ｘ送信制御部
９  １ｘ受信制御部
１０  送信機
１１  プライマリアンテナ
１２  受信アンテナ制御部
１３  プライマリ受信機
１４  セカンダリ受信機
１５  セカンダリアンテナ
１６  管理メモリ
１７  選択部
【図１】
0005497837.tif 000002
【図２】
0005497837.tif 000003
【図３】
0005497837.tif 000004
【図４】
0005497837.tif 000005
【図５】
0005497837.tif 000006
【図６】
0005497837.tif 000007
【図７】
0005497837.tif 000008
【図８】
0005497837.tif 000009
【図９】
0005497837.tif 000010
【図１０】
0005497837.tif 000011
【図１１】
0005497837.tif 000012
【図１２】
0005497837.tif 000013
【図１３】
0005497837.tif 000014
【図１４】
0005497837.tif 000015